(57)【要約】      （修正有）【課題】持ち運びがしやすく、収納性及び収納時の意匠性にも優れた爪とぎ器を提供する。【解決手段】爪とぎ器１は、本を模した爪とぎ器であって、表基材２１、背基材２２、裏基材２３が折り曲げ可能に配置された外装部２と、表基材２１、背基材２２及び裏基材２３に覆われるように設けられた爪とぎ材３と、を備える。爪とぎ材は、表基材の側に配置される第１爪とぎ材３１と、裏基材の側に配置される第２爪とぎ材３２とからなり、第１爪とぎ材の一方の端部は、背基材に接着され、第２爪とぎ材の一方の端部は、背基材に接着され、表基材、背基材及び裏基材が同一平面上に位置する形態において、第１爪とぎ材の背基材と接着された側及び第２爪とぎ材の背基材と接着された側に、それぞれ湾曲形状が形成される。【選択図】図１
0003234033.tif 000002
【実用新案登録請求の範囲】
【請求項１】
本を模した爪とぎ器であって、
表基材、背基材、裏基材が折り曲げ可能に配置された外装部と、
前記表基材、前記背基材及び前記裏基材に覆われるように設けられた爪とぎ材と、
を備える爪とぎ器。
【請求項２】
請求項１に記載の爪とぎ器において、
前記爪とぎ材は、前記表基材の側に配置される第１爪とぎ材と、前記裏基材の側に配置される第２爪とぎ材とからなり、
前記第１爪とぎ材の一方の端部は、前記背基材に接着され、
前記第２爪とぎ材の一方の端部は、前記背基材に接着され、
前記表基材、前記背基材及び前記裏基材が同一平面上に位置する形態において、前記第１爪とぎ材の前記背基材と接着された側及び前記第２爪とぎ材の前記背基材と接着された側に、それぞれ湾曲形状が形成される、
爪とぎ器。
【請求項３】
請求項２に記載の爪とぎ器において、
前記第１爪とぎ材の他方の端部側は、前記表基材に接着され、
前記第２爪とぎ材の他方の端部側は、前記裏基材に接着される、
爪とぎ器。
【請求項４】
請求項２又は３に記載の爪とぎ器において、
前記表基材、前記背基材及び前記裏基材が同一平面上に位置する形態において、前記第１爪とぎ材の前記湾曲形状の部分と前記表基材との間、及び、前記第２爪とぎ材の前記湾曲形状の部分と前記裏基材との間に、それぞれ隙間が形成される、
爪とぎ器。
【請求項５】
請求項２から４までのいずれかに記載の爪とぎ器において、
前記背基材は、厚紙により構成される、
爪とぎ器。
【請求項６】
請求項１に記載の爪とぎ器において、
前記爪とぎ材は、前記表基材の側に配置される第１爪とぎ材と、前記裏基材の側に配置される第２爪とぎ材とを備え、
前記背基材は、前記表基材の側に位置する第１背基材と、前記裏基材の側に位置する第２背基材と、前記背基材の延在する方向と平行に前記第１背基材と前記第２背基材とを折り曲げ可能とする折り曲げ部とを有し、
前記第１爪とぎ材は、一方の端部が前記第１背基材に接着され且つ少なくとも他方の端部側が前記表基材に接着され、
前記第２爪とぎ材は、一方の端部が前記第２背基材に接着され且つ少なくとも他方の端部側が前記裏基材に接着され、
前記表基材、前記背基材及び前記裏基材が同一平面上に位置する形態において、前記第１爪とぎ材及び前記第２爪とぎ材は、それぞれ略平坦形状となる、
爪とぎ器。
【請求項７】
請求項６に記載の爪とぎ器において、
前記第１爪とぎ材は、前記表基材と接する部分が前記表基材に接着され、
前記第２爪とぎ材は、前記裏基材と接する部分が前記裏基材に接着される、
爪とぎ器。
【請求項８】
請求項２から７までのいずれかに記載の爪とぎ器において、
前記第１爪とぎ材と前記第２爪とぎ材は、表面の粗さが異なる、
爪とぎ器。
【請求項９】
請求項１に記載の爪とぎ器において、
前記爪とぎ材は、一方の端部が前記背基材に接着されている、
爪とぎ器。
【請求項１０】
請求項９に記載の爪とぎ器において、
前記爪とぎ材は、前記表基材と接する部分又は前記裏基材と接する部分が接着されている、
爪とぎ器。
【請求項１１】
請求項１から１０までのいずれかに記載の爪とぎ器と、
前記爪とぎ器を収納可能なケースと、
を備える爪とぎ器セット。
【請求項１２】
請求項１１に記載の爪とぎ器セットにおいて、
前記ケースは、第１箱枠部と第２箱枠部とを備え、
前記爪とぎ器の厚さ方向に前記第１箱枠部と前記第２箱枠部とを重ね合わせることにより、前記ケースに前記爪とぎ器が収納される、
爪とぎ器セット。
【請求項１３】
請求項１２に記載の爪とぎ器セットにおいて、
前記第１箱枠部と前記第２箱枠部は、一端側で連結されている、
爪とぎ器セット。
【請求項１４】
請求項１２に記載の爪とぎ器セットにおいて、
前記第１箱枠部と前記第２箱枠部は、連結されていない、
爪とぎ器セット。
【請求項１５】
請求項１２から１４までのいずれかに記載の爪とぎ器セットにおいて、
前記第１箱枠部と前記第２箱枠部とを並べると、前記表基材、前記背基材及び前記裏基材が同一平面上に位置する形態で前記爪とぎ器が収納可能となる、
爪とぎ器セット。
【請求項１６】
請求項１１に記載の爪とぎ器セットにおいて、
前記ケースは、一側面に開口を有する三方背式の箱であり、前記開口から前記爪とぎ器を挿入することにより、前記ケースに前記爪とぎ器が収納される、
爪とぎ器セット。
【考案の詳細な説明】
【技術分野】
【０００１】
本考案は、爪とぎ器及び爪とぎ器セットに関する。
【背景技術】
【０００２】
一般に、猫等のペットは、日常の行動として、頻繁に爪とぎを行うことが知られている。ペットが室内で爪とぎを行うと、壁や家具等に傷が付くため、専用の爪とぎ器が用いられている。このような爪とぎ器として、例えば、爪とぎ材を板状にしたものや、円筒状にしたものが提案されている（特許文献１、２参照）。
【先行技術文献】
【特許文献】
【０００３】
【特許文献１】特許第６７３９１３５号公報
【特許文献２】特許第６２６０７７９号公報
【考案の概要】
【考案が解決しようとする課題】
【０００４】
上述した従来の爪とぎ器は、主に室内の定まった場所に設置して使うことを前提としているため、携帯性が悪く、持ち運びがしにくいという課題がある。また、使用していないときの収納性が悪く、収納時の見た目も考慮されていないという課題もある。
【０００５】
本考案は、持ち運びがしやすく、収納性及び収納時の意匠性にも優れた爪とぎ器及び爪とぎ器セットを提供することを目的とする。
【課題を解決するための手段】
【０００６】
本考案に係る爪とぎ器は、本を模した爪とぎ器であって、表基材、背基材、裏基材が折り曲げ可能に配置された外装部と、前記表基材、前記背基材及び前記裏基材に覆われるように設けられた爪とぎ材と、を備える。
【考案の効果】
【０００７】
本考案によれば、持ち運びがしやすく、収納性及び収納時の意匠性にも優れた爪とぎ器及び爪とぎ器セットを提供することができる。
【図面の簡単な説明】
【０００８】
【図１】第１実施形態の爪とぎ器１を示す図である。
【図２】第１実施形態の爪とぎ器１の側面を示す図である。
【図３】第２実施形態の爪とぎ器１Ａを示す図である。
【図４】第３実施形態の爪とぎ器１Ａを示す図である。
【図５】第３実施形態の爪とぎ器１Ｂの側面を示す図である。
【図６】第４実施形態の爪とぎ器セット５を示す図である。
【図７】第４実施形態の爪とぎ器セット５の使用方法を示す図である。
【図８】第５実施形態の爪とぎ器セット５Ａを示す図である。
【図９】第５実施形態の爪とぎ器セット５Ａの使用方法を示す図である。
【図１０】第６実施形態の爪とぎ器セット５Ｂを示す図である。
【考案を実施するための形態】
【０００９】
以下、本考案に係る爪とぎ器及び爪とぎ器セットの実施形態について、図面を用いて説明する。本明細書に添付した図面は、いずれも模式図であり、理解しやすさ等を考慮して、各部の形状、縮尺、縦横の寸法比等を、実物から変更又は誇張している。
本明細書等において、形状、幾何学的条件、これらの程度を特定する用語、例えば、「平行」、「方向」等の用語については、その用語の厳密な意味に加えて、ほぼ平行とみなせる程度の範囲、概ねその方向とみなせる範囲を含む。
本明細書等においては、図１に示す爪とぎ器１において、幅方向をＸ（Ｘ１−Ｘ２）方向、高さ方向をＹ方向、厚み方向をＺ方向とする。また、本明細書等においては、「〜方向」を、「〜側」ともいう。
【００１０】
（第１実施形態）
図１は、第１実施形態の爪とぎ器１を示す図である。図２は、第１実施形態の爪とぎ器１の側面を示す図である。
図１に示すように、第１実施形態の爪とぎ器１は、本を模した形状を有する。爪とぎ器１は、外装部２と、爪とぎ材３と、を備える。外装部２は、表基材２１、背基材２２及び裏基材２３を備え、これらが折り曲げ可能に配置されている。表基材２１、背基材２２及び裏基材２３は、一体の部材であってもよいし、複数の部材が連結された構造であってもよい。表基材２１、背基材２２及び裏基材２３は、例えば、厚紙により構成される。厚紙は、例えば、厚さ１〜２ｍｍ程度の紙材である。
【００１１】
爪とぎ材３は、猫等のペットが爪を研ぐ際に使用する略板状の部材であり、表面に凹凸を有する。猫等のペットが爪とぎ材３の表面を爪で引っ掻くことにより、ツメを研ぐことができる。爪とぎ材３としては、例えば、強化段ボールの芯材を用いることができる。爪とぎ材３は、表基材２１、背基材２２及び裏基材２３に覆われるように設けられている。爪とぎ材３は、表基材２１の側に配置される第１爪とぎ材３１と、裏基材２３の側に配置される第２爪とぎ材３２と、を備える。なお、第１爪とぎ材３１と第２爪とぎ材３２において、表面の粗さは、同じでもよいし、異なっていてもよい。
【００１２】
第１爪とぎ材３１の一方（Ｘ１側）の端部３１ａは、背基材２２に接着されている。第１爪とぎ材３１の他方（Ｘ２側）の端部側３１ｂは、表基材２１に接着されている。ここで、端部側３１ｂは、例えば、表基材２１において、幅方向Ｘの中央からＸ２側の端部までの範囲である（以降の実施形態も同様とする）。第２爪とぎ材３２の一方（Ｘ２側）の端部３２ａは、背基材２２に接着されている。第２爪とぎ材３２の他方（Ｘ１側）の端部側３２ｂは、裏基材２３に接着されている。ここで、端部側３２ｂとは、例えば、裏基材２３において、幅方向Ｘの中央からＸ１側の端部までの範囲である（以降の実施形態も同様とする）。なお、第１爪とぎ材３１の他方の端部側３１ｂは、表基材２１に接着されていなくてもよい。同様に、第２爪とぎ材３２の他方の端部側３２ｂは、裏基材２３に接着されていなくてもよい。
【００１３】
図１に示すように、表基材２１、背基材２２及び裏基材２３が同一平面上に位置する形態において、第１爪とぎ材３１の背基材２２と接着された側（Ｘ１側）には、湾曲形状が形成される。第１爪とぎ材３１の湾曲形状の部分と表基材２１との間には、隙間ｇ１が形成される。同じく、表基材２１、背基材２２及び裏基材２３が同一平面上に位置する形態において、第２爪とぎ材３２の背基材２２と接着された側（Ｘ２側）には、湾曲形状が形成される。第２爪とぎ材３２の湾曲形状の部分と裏基材２３との間には、隙間ｇ２が形成される。
【００１４】
猫等のペットの飼い主が第１実施形態の爪とぎ器１を使用する場合、図１に示すように、爪とぎ器１を開いて、表基材２１、背基材２２及び裏基材２３が同一平面上に位置するように設置する。これにより、猫等のペットは、第１爪とぎ材３１又は第２爪とぎ材３２の表面でツメを研ぐことができる。また、飼い主は、爪とぎ器１を収納する場合、図２に示すように、表基材２１、背基材２２及び裏基材２３が略Ｕ字形となるように、表基材２１、背基材２２及び裏基材２３を閉じることにより、爪とぎ器１を小さく折り畳むことができる。
【００１５】
（第２実施形態）
図３は、第２実施形態の爪とぎ器１Ａを示す図である。第２実施形態の爪とぎ器１Ａの側面は、図２と実質的に同じであるため、説明を省略する。第２実施形態の説明及び図面において、第１実施形態と同等の部材等には、同一の符号又は末尾（下２桁）に同一の符号を付して、重複する説明を省略する。
【００１６】
図３に示すように、第２実施形態の爪とぎ器１Ａは、本を模した形状を有する。爪とぎ器１Ａは、外装部２と、爪とぎ材３と、を備える。外装部２は、表基材２１、背基材１２２及び裏基材２３を備え、これらが折り曲げ可能に配置されている。表基材２１、背基材１２２及び裏基材２３は、例えば、厚紙により構成される。
【００１７】
第２実施形態の爪とぎ器１Ａにおいて、背基材１２２は、表基材２１の側に位置する第１背基材１２３と、裏基材２３の側に位置する第２背基材１２４と、折り曲げ部１２５と、を備える。折り曲げ部１２５は、背基材１２２の延在するＹ方向と平行に第１背基材１２３と第２背基材１２４とを折り曲げ可能とする。表基材２１、背基材１２２及び裏基材２３は、例えば、厚紙により構成される。なお、背基材１２２を厚紙により構成しない場合、例えば、背基材１２２を薄紙により構成したり、柔軟性を有する部材で構成したりした場合、折り曲げ部１２５を省略してもよい。
【００１８】
第１爪とぎ材３１の一方（Ｘ１側）の端部３１ａは、第１背基材１２３に接着されている。第１爪とぎ材３１の他方（Ｘ２側）の端部側３１ｂは、表基材２１に接着されている。第２爪とぎ材３２の一方（Ｘ２側）の端部３２ａは、第２背基材１２４に接着されている。第２爪とぎ材３２の他方（Ｘ１側）の端部側３２ｂは、裏基材２３に接着されている。
【００１９】
第１爪とぎ材３１は、表基材２１側の全面が表基材２１に接着されていてもよい。また、第２爪とぎ材３２は、裏基材２３側の全面が裏基材２３に接着されていてもよい。即ち、第１爪とぎ材３１は、表基材２１と接する部分の一部が表基材２１に接着されていてもよいし、表基材２１と接する部分の全部が表基材２１に接着されていてもよい。同様に、第２爪とぎ材３２は、裏基材２３と接する部分の一部が裏基材２３に接着されていてもよいし、裏基材２３と接する部分の全部が裏基材２３に接着されていてもよい。
図３に示すように、表基材２１、背基材１２２及び裏基材２３が同一平面上に位置する形態において、第１爪とぎ材３１と第２爪とぎ材３２は、それぞれ略平坦形状となる。
【００２０】
猫等のペットの飼い主が第２実施形態の爪とぎ器１Ａを使用する場合、図３に示すように、爪とぎ器１Ａを開いて、表基材２１、背基材１２２及び裏基材２３が同一平面上に位置するように設置する。これにより、猫等のペットは、第１爪とぎ材３１又は第２爪とぎ材３２の表面でツメを研ぐことができる。また、飼い主は、爪とぎ器１Ａを収納する場合、図２に示すように、表基材２１、背基材１２２及び裏基材２３が略Ｕ字形となるように、表基材２１、背基材１２２及び裏基材２３を閉じることにより、爪とぎ器１Ａを小さく折り畳むことができる。
【００２１】
（第３実施形態）
図４は、第３実施形態の爪とぎ器１Ｂを示す図である。図５は、第３実施形態の爪とぎ器１Ｂの側面を示す図である。第３実施形態の説明及び図面において、第１実施形態と同等の部材等には、同一の符号又は末尾（下２桁）に同一の符号を付して、重複する説明を省略する。
【００２２】
図４に示すように、第３実施形態の爪とぎ器１Ｂは、本を模した形状を有する。爪とぎ器１Ｂは、外装部２と、爪とぎ材３と、を備える。外装部２は、表基材２１、背基材２２２及び裏基材２３を備え、これらが折り曲げ可能に配置されている。表基材２１、背基材２２２及び裏基材２３は、例えば、厚紙により構成される。
【００２３】
第３実施形態の爪とぎ器１Ｂにおいて、背基材２２２の厚さ方向Ｚの寸法は、爪とぎ材３の厚さ方向Ｚの寸法とほぼ同じとなるように構成されている。爪とぎ材３の一方（Ｘ１側）の端部３ａは、背基材２２２の全面に接着されている。爪とぎ材３の他方（Ｘ２側）の端部側３ｂは、表基材２１と接着されていない。
【００２４】
なお、第３実施形態の爪とぎ器１Ｂにおいて、爪とぎ材３は、他方の端部側３ｂが表基材２１と接着されていてもよいし、表基材２１と接する部分の全部が表基材２１に接着されていてもよい。また、図４において、外装部２のＸ方向の配置は、逆であってもよい。即ち、外装部２は、Ｘ２側からＸ１側に向けて、裏基材２３、背基材２２２、表基材２１の順で配置されていてもよい。
【００２５】
猫等のペットの飼い主が第３実施形態の爪とぎ器１Ｂ使用する場合、図４に示すように、爪とぎ器１Ｂを開いて、表基材２１、背基材２２２及び裏基材２３が同一平面上に位置するように設置する。これにより、猫等のペットは、爪とぎ材３の表面でツメを研ぐことができる。また、飼い主は、爪とぎ器１Ｂを収納する場合、図５に示すように、表基材２１、背基材２２２及び裏基材２３が略Ｕ字形となるように、表基材２１、背基材２２２及び裏基材２３を閉じることにより、爪とぎ器１Ｂを小さく折り畳むことができる。
【００２６】
（第４実施形態）
図６は、第４実施形態の爪とぎ器セット５を示す図である。図７は、第４実施形態の爪とぎ器セット５の使用方法を示す図である。第４実施形態の説明及び図面において、第１実施形態と同等の部材等には、同一の符号を付して、重複する説明を省略する。
【００２７】
第４実施形態では、爪とぎ器セット５に含まれる爪とぎ器として、第１実施形態の爪とぎ器１を用いる例について説明する。なお、第４実施形態の爪とぎ器セット５において、爪とぎ器は、第２実施形態の爪とぎ器１Ａでもよいし、第３実施形態の爪とぎ器１Ｂでもよい（他の実施形態においても同様とする）。
【００２８】
図６に示すように、第４実施形態の爪とぎ器セット５は、爪とぎ器１と、爪とぎ器１を収納可能なケース１０と、を備える。ケース１０は、第１箱枠部１１と、第２箱枠部１２と、を備える。第１箱枠部１１と第２箱枠部１２とは、連結されていない。ケース１０において、爪とぎ器１の厚さ方向（Ｚ方向）に第１箱枠部１１と第２箱枠部１２とを重ね合わせることにより、ケース１０の内部に折り畳んだ爪とぎ器１を収納することができる。
【００２９】
図７に示すように、第１箱枠部１１のＸ１側の端部は、平面状に展開可能に構成されている。同様に、第２箱枠部１２のＸ２側の端部は、平面状に展開可能に構成されている。図７に示すように、第１箱枠部１１と第２箱枠部１２とを、互いに展開した端部同士が向き合うようにＸ方向に並べることにより、表基材２１、背基材２２及び裏基材２３を同一平面上に位置する形態で爪とぎ器１を収納することができる。
【００３０】
（第５実施形態）
図８は、第５実施形態の爪とぎ器セット５Ａを示す図である。図９は、第５実施形態の爪とぎ器セット５Ａの使用方法を示す図である。第５実施形態の説明及び図面において、第１実施形態及び第４実施形態と同等の部材等には、同一の符号を付して、重複する説明を省略する。
【００３１】
図８に示すように、第５実施形態の爪とぎ器セット５Ａは、爪とぎ器１と、爪とぎ器１を収納可能なケース１１０と、を備える。ケース１１０は、第１箱枠部１１１と、第２箱枠部１１２と、を備える。第１箱枠部１１１のＸ１側の端部と、第２箱枠部１１２のＸ２側の端部とは、連結部１１３で連結されている。即ち、第１箱枠部１１１と第２箱枠部１１２は、一端側で連結されている。図８に示すように、ケース１１０において、爪とぎ器１の厚さ方向（Ｚ方向）に第１箱枠部１１１と第２箱枠部１１２とを重ね合わせることにより、ケース１１０の内部に折り畳んだ爪とぎ器１を収納することができる。
【００３２】
図９に示すように、ケース１１０の連結部１１３を展開して、第１箱枠部１１１と第２箱枠部１１２とをＸ方向に並べることにより、表基材２１、背基材２２及び裏基材２３が同一平面上に位置する形態で爪とぎ器１を収納することができる。
なお、第５実施形態の爪とぎ器セット５Ａにおいて、第１箱枠部１１１のＸ１側の端部と第２箱枠部１１２のＸ２側の端部とに、それぞれ側壁を設け、その側壁の頂部同士がつながっている形態としてもよい。本形態において、側壁同士がつながった部分を山折りして、第１箱枠部１１１と第２箱枠部１１２とをＸ方向に並べることにより、例えば、図３（第２実施形態）に示す爪とぎ器１Ａを、ケース１１０の内部に収納することができる。
【００３３】
（第６実施形態）
図１０は、第６実施形態の爪とぎ器セット５Ｂを示す図である。第６実施形態の説明及び図面において、第１実施形態と同等の部材等には、同一の符号を付して、重複する説明を省略する。
【００３４】
図１０に示すように、第６実施形態の爪とぎ器セット５Ｂは、爪とぎ器１と、爪とぎ器１を収納可能なケース２１０と、を備える。ケース２１０は、一側面（図１０では、Ｘ１側）に開口２１１を有する三方背式の箱として構成されている。折り畳んだ爪とぎ器１を、ケース２１０の開口２１１から挿入することにより、ケース２１０の内部に爪とぎ器１を収納することができる。
【００３５】
以上、本考案の実施形態について説明したが、本考案は、前述した実施形態に限定されるものではなく、後述する変形形態のように種々の変形や変更が可能であって、それらも本考案の技術的範囲内に含まれる。また、実施形態に記載した効果は、本考案から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【符号の説明】
【００３６】
１、１Ａ、１Ｂ  爪とぎ器
２  外装部
３  爪とぎ材
５、５Ａ、５Ｂ  爪とぎ器セット
１０、１１０、２１０  ケース
１１、１１１  第１箱枠部
１２、１１２  第２箱枠部
２１  表基材
２２、１２２、２２２  背基材
２３、１２３  裏基材
３１  第１爪とぎ材
３２  第２爪とぎ材
１１３  連結部
１２３  第１背基材
１２４  第２背基材
１２５  折り曲げ部
２１１  開口
【図１】
0003234033.tif 000003
【図２】
0003234033.tif 000004
【図３】
0003234033.tif 000005
【図４】
0003234033.tif 000006
【図５】
0003234033.tif 000007
【図６】
0003234033.tif 000008
【図７】
0003234033.tif 000009
【図８】
0003234033.tif 000010
【図９】
0003234033.tif 000011
【図１０】
0003234033.tif 000012